(57)【要約】      （修正有）【課題】警棒以上の進んだ機能を有して安心して不審者を追跡したり、逮捕したりすることができる警棒装置を提供する。【解決手段】警棒装置２は、堅牢な材質から形成された円筒状の警棒本体２ａを、軸方向に２つ以上に部屋に区分すると共に、これら２以上の収納室８，１０，１２とは独立した態様で警棒本体２ａの先端部に高輝度のＬＥＤを収容するＬＥＤ収容室１４を設け、２以上の収納室８，１０，１２内に、さらに捕捉手段収納管を設けてそれぞれ二重管とし、捕捉手段収納管には、捕捉手段として、ロープを収納した収納管、ネットを収納した収納管および催涙弾を収納した収納管よりなる群から選ばれる収納管を装着し、捕捉手段収納管は、それぞれ独立にスイッチ操作で選ばれる発射手段の起動により発射可能に収容し、警棒本体２ａの手元部に、複数の捕捉手段発射スイッチおよびＬＥＤ照明点灯用スイッチを設ける。【選択図】図１
2014006022.tif 000002
【特許請求の範囲】
【請求項１】
堅牢な材質から形成された円筒状の警棒本体を、軸方向に少なくとも二つの部屋に区分するとともに、これら少なくとも２つの部屋とは独立した態様で前記警棒本体の先端部に高輝度のＬＥＤを収容するＬＥＤ収容室を設け、
前記少なくとも２つの部屋内に、さらに捕捉手段収納管を設けてそれぞれ二重管とし、該捕捉手段収納管には、捕捉手段としてロープを収納した収納管、捕捉手段としてネットを収納した収納管および捕捉手段として催涙弾を収納した収納管よりなる群から選ばれる収納管を装着し、該捕捉手段収納管は、それぞれ独立にスイッチ操作で選ばれる発射手段の起動により発射可能に収容し、
前記警棒本体の手元部に、複数の捕捉手段発射スイッチおよびＬＥＤ照明点灯用スイッチを設け、これらスイッチの一つが選択的に押し込まれた場合に、それに対応する前記部屋内に収容された前記ロープ、前記ネット、前記催涙弾のいずれかが、前記警棒本体の先端部から発射されるように構成するとともに、ＬＥＤ照明点灯用スイッチが選択的に押し込まれた場合に、前記ＬＥＤ収容室内に収容された高輝度のＬＥＤが点灯するように構成されていることを特徴とする警棒装置。
【請求項２】
前記発射手段は、火薬による爆発あるいはバネによる付勢力のいずれかの力によるものであることを特徴とする請求項１に記載の警棒装置。
【請求項３】
前記ＬＥＤは、５００００カンデラ以上の照度を有することを特徴とする請求項１に記載の警棒装置。
【請求項４】
前記ロープまたはネットが、ポリアミドイミド繊維から形成されたロープまたはネット、ポリイミド繊維から形成されたロープまたはネット、または超高分子量ポリエチレン繊維から形成されたロープまたはネットであることを特徴とする請求項１に記載の警棒装置。
【請求項５】
前記発射手段と捕捉手段収納管とが一体に形成されたカートリッジであることを特徴とする請求項１に記載の警棒装置。
【請求項６】
前記捕捉手段であるロープおよびネットの端部に錘が括り付けられていることを特徴とする請求項１に記載の警棒装置。
【発明の詳細な説明】
【技術分野】
【０００１】
本発明は、対面する相手の目を眩ませ、あるいは相手の身動きを困難にさせる機能を備えた警棒装置に関する。
【背景技術】
【０００２】
例えば、警察官は、任務する場合に護身用としてあるいは不審者を捕捉するために、常に警棒を携帯している。一方、被疑者、犯罪者などの不審者は、警棒以上の武器を所持している場合が多い。そのような状況では、警察官は、堅牢な警棒だけでは対処できない場合がある。
【０００３】
また、警察官は警棒の他に拳銃も所持しているが、いうまでもなく拳銃は殺傷能力が大きく、必要以上に相手を傷つけてしまうため、使用を躊躇してしまうのが現状である。
このような警棒として、引用文献１（特開2002-48493号公報）には伸縮警棒を構成する筒体の一つをポリカーボネートで形成し、ＬＥＤにより発光させてサーチライトとして使用することが開示されている。しかしながら、このような警棒は特殊警棒の一種であり、その使用形態は通常の警棒と変わりはない。
【先行技術文献】
【特許文献】
【０００４】
【特許文献１】特開2002-48493号公報
【発明の概要】
【発明が解決しようとする課題】
【０００５】
そこで、警察官としては、護身用として警棒以上の進んだ機能を有して安心して任務につける警棒装置の出現が望まれている。
本発明は、このような要求に応えることのできる警棒装置を提供することを目的としている。
【課題を解決するための手段】
【０００６】
本発明に係る警棒装置は、
堅牢な材質から形成された円筒状の警棒本体を、軸方向に少なくとも２つの捕獲手段収納管、好ましくは３つの捕獲手段収納管を収納する収納室に区画するとともに、これら区画された収納室とは独立した態様で前記警棒本体の先端部に高輝度のＬＥＤを収容するＬＥＤ収容室を有する。
【０００７】
前記区画された捕獲手段収納管の収納室は、区画された警棒本体に収納な可能な内管を有する二重管としている。そして、例えば３つの収納室に区画した態様では、第１の収納室には端部に錘を括り付けた捕獲手段としてロープを収納した捕獲手段収納管を、第２の収納室には捕捉手段として隅部に錘を括り付けたネットを、第３の収納管には捕捉手段として催涙弾が装填されている。これらの捕捉手段は、それぞれスイッチ操作で選ばれる発射手段の起動により発射可能に収納されている。
【０００８】
前記警棒本体の手元部に、捕捉手段を発射させるためのスイッチとＬＥＤ照明を点灯させるためのスイッチが設けられている、捕捉手段を発射させるための第１のスイッチ、第２のスイッチ、第３のスイッチ、およびＬＥＤを点灯させるための第４のスイッチが設けられており、これらスイッチの一つが選択的に押し込まれた場合に、それに対応する前記捕獲部材収納管内に収納された前記ロープ、前記ネット、前記催涙弾のいずれかが、前記警棒本体の先端部から発射されるように構成するとともに、第４のスイッチが選択的に押し込まれた場合に、前記ＬＥＤ収容室内に収容された高輝度のＬＥＤが点灯するように構成されている。
【０００９】
上記の捕獲手段であるロープあるいはネットは、ポリアミドイミド繊維、ポリイミド繊維、超高分子量ポリエチレンなどのような高強度の繊維を用いて形成することができる。上記のロープあるいはネットは高強度であることから、それほど太く形成しなくとも引きちぎることは極めて困難であり、また飛翔距離を長くするためにも太くない方が好ましく、通常は直径５mm以下、好ましくは０．０５〜２mmの太さに形成される。ロープの長さは１〜１０ｍ程度であればよく、このロープの両端にはロープを有効に飛翔させるための錘が括り付けられている。この錘の重さは、ロープの飛翔を容易にするものであり、ロープの重さによって調整することができるが、通常は１０〜１００g程度あれば充分である。
【００１０】
また、ネットは、三角形乃至多角形に形成されており、不審者を捕捉するために手足が絡みつくようにネットの目開きは比較的大きい方が好ましく、通常は１０〜２０cmの目開きのネットを使用する。このような目開きのネットを使用することにより、手足がネットの目開きの中に入り込み動きを拘束することができる。
【００１１】
このようなネットの少なくとも隅には、ネットを飛翔させるための錘が括り付けられて発射装置の推進力により、錘を遠方に飛翔させることができ、この錘の飛翔に伴ってネットが開きながら遠方まで飛翔する。この錘はネットの重さにより調整することができるが、通常は１０〜１００g程度である。
【００１２】
催涙弾としては通常の催涙弾を使用することもできるし、炸裂弾型の催涙弾を使用することもできる。
このような構成の警棒装置であれば、堅牢な材質の殴打目的の警棒本体の他に、照射光、ロープ、ネット、催涙弾など、相手に直接触れなくても相手を効果的に怯ますことのできる捕獲手段を具備しており、安心して任務につくことが可能である。また、被疑者、犯罪者など不審者の捕獲に寄与することができる。また、ＬＥＤを発光させて対面する相手の目を眩しくさせておきながら、いわゆる飛び道具を発射して捕獲に至らすことが可能となる。
【００１３】
また、本発明では、前記発射手段は、火薬による爆発あるいはバネによる付勢力のいずれかの力によるものであることが好ましい。これらの発射手段は発射手段が火薬であれば大きな力を得ることができ、バネであれば構成が容易となる。
【００１４】
さらに、前記ＬＥＤは、５００００カンデラ以上の照度を有することが好ましい。
これにより、対面する相手の目を確実に眩しくさせて、身動きを止めることができる。
【発明の効果】
【００１５】
本発明の警棒装置によれば、これまでの警棒のように、例えば犯人逮捕のために直近で殴打して押さえ付けなくても、不審者にロープ、ネット、催涙弾のいずれかを選択することにより、不審者に致命的な損傷を与えることなく、拳銃に代わる一撃を与えることが可能となる。また、高輝度のＬＥＤにより光を照射することにより、対面する相手の目を眩ませて身動きを止めることもできる。
【００１６】
したがって、安心感を抱いて任務につくことができ、ひいては実際に使用することにより、不審者を逮捕に至らせることができる。
【図面の簡単な説明】
【００１７】
【図１】図１は、本発明の一実施例に係る警棒装置の概略斜視図である。
【図２】図２は、図１に示した警棒装置に収容されている内管の概略斜視図である。
【図３】図３は、図２に示した内管の概略断面図である。
【図４】図４は、内管の中に収容されたロープの概略図である。
【図５】図５は、内管の中に収容されたネットの概略図である。
【図６】図６は、内管の中に収容された催涙弾の概略斜視図である。
【発明を実施するための形態】
【００１８】
以下、図面を参照しながら本発明の一実施例に係る警棒装置について説明する。
図１は本発明の一実施例に係る警棒装置２を示したものである。
図１に示したように、本実施例に係る警棒装置２の警棒本体２ａは、ステンレス、アルミニウム、アルミ合金、チタン、チタン合金などの軽量で堅牢な金属材質、複合合成樹脂などの堅牢な樹脂から形成され、径の細い先端部分４と径の太い基端部分６とを有している。この警棒装置２のサイズは、後述する機能を備えられるようにすればよく、例えば径の細い先端部分４の直径は１cm〜３cmであり長さは１５cm〜４０cmであり、径の太い基端部分６の直径は３〜５cmであることが好ましく、長さは５〜１５cmであることが好ましく、全体の長さは２０cm〜５０cmであることが好ましい。
【００１９】
径の太い基端部分６の先端側の傾斜した周面には、選択的に操作することのできる３〜４つのスイッチボタンが備えられている。図１においては４つのスイッチＳ１、Ｓ２、Ｓ３、Ｓ４が設けられた態様が示されている。
【００２０】
また、このようなスイッチボタンＳ１、Ｓ２、Ｓ３、Ｓ４を備えた警棒本体２ａ内は、軸方向好ましくは３つの捕獲部材周到管を収容できるように構成されている。すなわち例えば第１の収納室８と第２の収納室１０と第３の収納室１２とに区画されている。さらに、警棒本体２ａの先端部分４における最先端部には、これら３つの収納室８，１０，１２とは独立して、ＬＥＤ収容室１４が外部に開口するように設けられ、該ＬＥＤ収容室１４内には、図示しない高輝度のＬＥＤが収容されている。
【００２１】
一方、警棒本体２ａ内の軸方向に延出して形成された第１の収納室８と、第２の収納室１０と、第３の収納室１２の各内部には、それぞれ二重管をなすように、図２に示したように断面円弧状の捕獲手段収納管１５，１６，１７が収容されている。これらの捕獲手段収納管１５，１６，１７もチタン合金などの堅牢な材質から形成されることが好ましい。
【００２２】
これらの捕獲手段収納管１５，１６，１７は、例えば、捕獲手段収納管１５を例にすれば、図３に示したように、それぞれ前部側と後部側との２室に分離されており、前部側の部屋はロープを収容するためのロープ収容室とされ、後部側の部屋は火薬室とされた一体型のカートリッジを形成している。火薬室には、その背面側の蓋部材を開くことにより、火薬３０が所定量収容されている。さらに、その蓋部材の背面には、発火のための起爆部３１が具備されている。なお、ロープあるいはネットを収容する捕獲部材収納部と火薬室との間は、火薬が燃焼することによっても捕捉部材が熱による影響を受けないように両者を耐熱プラスチック板、グラスウールなどの耐熱性の高い部材で区画することが好ましい。
【００２３】
上記したように、第１の部屋８を構成する捕獲手段収納管１５内には、図４に示したようにロープ２０が、第２の収納室１０を構成する捕獲手段収納管１６内には、図５に示したようにネット２２が、第３の収納室１２を構成する捕獲手段収納管１７には、図６に示したように催涙弾２４が収容されている。
【００２４】
なお、ロープ２０およびネット２２は、小さく畳まれた状態で飛び出し易いように、各部屋内に収容されている。また、催涙弾２４の形状は円筒状に限定されず、例えば捕獲手段収納管１７の断面形状と相似する形状に形成されていてもよい。
【００２５】
一方、警棒本体２ａの基端部分６の底部側には、火薬３０を爆発させるための起爆装置４０が設置されている。起爆装置４０は、上記スイッチＳ１，Ｓ２，Ｓ３のいずれか１つが選択的に操作されてＯＮとなった場合に、それに対応する起爆部３１に通電し、内部の火薬３０を発火させる機能を有している。図に示す例では、この起爆装置４０の起動により、各収納室８，１０，１２に収容されたロープ２０、ネット２２、催涙弾２４のいずれか１つが発射される。
【００２６】
本発明はこの態様に限定されるものではなく、同一の捕獲手段を有する捕獲手段収納管を複数装着してもよい。また、ＬＥＤ点灯スイッチと、捕獲手段発射装置を連動させることにより、ＬＥＤの点灯と捕獲手段とを同時に作動させることもできる。
【００２７】
これら、ロープ２０、ネット２２、催涙弾２４のいずれか１つが警棒本体２ａから発射されれば、その発射された部材により相手の動きを止めたり、催涙ガスを噴射させるなどして、犯人逮捕の支援を行うことができる。
【００２８】
また、スイッチＳ４が選択された場合には、ＬＥＤ収容室１４から、５００００カンデラ以上、好ましくは５００００〜１５００００カンデラの光が照射されることから、照射を受けた不審者などは一時的に視力を失うことになる。よって、仮に警察官に向かってくるような行為の途中であっても、その動きを阻止することができる。また、捕捉手段を火薬の爆発によって発射する場合には、ＬＥＤのよる光および発射音（爆発音）によって聴覚と視覚が一時的に麻痺するので、不審者の行動を数秒間停止させることができる、すなわち、不審者が光と音によって一瞬怯んだすきに捕捉手段を発射することにより、確実に不審者を捕捉することができる。
【００２９】
以上、説明したように、本実施例の警棒装置２では、必要に応じてロープ２０、ネット２２、催涙弾２４などを選択的に発射させることができることに加えて、ＬＥＤによる光照射をいつでも行うことができる。なお、ＬＥＤは、ＬＥＤの径の細い先端部分４中央部に設けられた電池収納部（図示無し）に収納された乾電池または蓄電池により点灯する。径の太い基端部分６には、通常は本発明の警棒装置を駆動させるため回路装置が組み込まれていることが好ましい。
【００３０】
したがって、両方を使用すれば、ＬＥＤ照射により相手の目を怯ませた状態で、ロープ２０で包囲したり、ネット２２で囲ったり、場合によっては催涙弾で確実に怯ませることができる。
【００３１】
このような警棒装置２を携帯することにより、警察官は安心して任務につくことができるとともに、実際に使用することにより、犯罪を未然に防ぐことができ、さらに、不審者の捕捉に役立てることができる。
【００３２】
また、不審者などに必要以上に接近しなくても、相手を威嚇することができるので、警察官などの身の安全を図ることも可能である。
なお、上記実施例の警棒装置２には、誤動作を防止するための安全装置についての言及を省いたが、安全装置が具備されているのは勿論である。
【００３３】
また、捕獲手段収納管１５，１６，１７は、警棒部本体２ａの基端部分６の底面側から出し入れ自在として構成されているので、本発明の警棒装置は、一度使用した後に、新たな捕獲手段収納管を補充すれば、再度使用することができる。
【００３４】
また、発射手段は火薬３０による爆風に限定されず、バネによる付勢力を利用することもできる。その場合には起爆装置の駆動により、圧縮状態のバネが伸びるようにすれば良い。
【００３５】
なお、上記説明では、発射手段の部分を太く形成してあるが、火薬量の調整あるいはバネの反発力の調整を適切に行えば、発射手段の部分を特に太く形成する必要はない。このようにバネの反発力で発射装置を構成することにより、銃刀法の規制を受けずに使用することが可能になるとの利点もある。
【符号の説明】
【００３６】
２・・・・警棒装置
２ａ・・・警棒本体
４・・・・先端部分
６・・・・基端部分
８・・・・第１の収納室
１０・・・第２の収納室
１２・・・第３の収納室
１４・・・ＬＥＤ収容室
１５・・・捕獲手段収納管
１６・・・捕獲手段収納管
１７・・・捕獲手段収納管
２０・・・ロープ
２２・・・ネット
２４・・・催涙弾
３０・・・火薬
４０・・・起爆装置
Ｓ１・・・スイッチ
Ｓ２・・・スイッチ
Ｓ３・・・スイッチ
Ｓ４・・・スイッチ
【図１】
2014006022.tif 000003
【図２】
2014006022.tif 000004
【図３】
2014006022.tif 000005
【図４】
2014006022.tif 000006
【図５】
2014006022.tif 000007
【図６】
2014006022.tif 000008